(57)【特許請求の範囲】
【請求項１】
複数の柱とそれら柱に連結された天井及び床の各大梁とを有してなる建物ユニットが複数組み合わされてなる建物本体に当該建物本体から屋外側に延びるようにして袖壁が設けられたユニット式建物の袖壁構造であって、
前記袖壁は、
前記建物本体に連結される袖壁フレームと、
前記袖壁フレームを両側から挟むようにして設けられた複数の壁面材と
を有し、
前記複数の壁面材のうち少なくとも何れかは、前記建物本体と前記袖壁フレームとが連結されている状態にて当該袖壁フレームに固定可能な後付け壁面材となっており、同後付け壁面材には前記袖壁フレームに上側から引っ掛けることのできる引っ掛け部が設けられており、
前記袖壁フレームには、その上端部に天板部が設けられており、
前記引っ掛け部は、前記後付け壁面材の内面に取り付けられた取付板部と、前記取付板部から突出する突出部とを有してなり、同突出部が前記天板部上に載ることで、当該引っ掛け部を有する前記後付け壁面材が前記袖壁フレームに上側から引っ掛かるように構成されており、
前記天板部には、前記後付け壁面材を前記天板部に引っ掛けた状態で前記取付板部を収容可能な凹部が形成されていることを特徴とするユニット式建物の袖壁構造。
【請求項２】
前記袖壁は、前記引っ掛け部を伝って当該袖壁に形成された内部空間へ水が浸入することを妨げる防水部材を有していることを特徴とする請求項１に記載のユニット式建物の袖壁構造。
【請求項３】
前記袖壁フレーム及び前記引っ掛け部の一方には、前記袖壁の厚さ方向における前記後付け壁面材の固定位置を定める位置決め部が設けられ、前記袖壁フレーム及び前記引っ掛け部の他方には前記位置決め部を受ける受け部が設けられており、
前記引っ掛け部を前記袖壁フレームに引っ掛けた状態では前記位置決め部と前記受け部とが当接することにより、前記後付け壁面材が当該後付け壁面材の固定位置に配されることを特徴とする請求項１又は請求項２に記載のユニット式建物の袖壁構造。
【請求項４】
前記袖壁は、前記各壁面材の間に形成された空間が機器を収容する収容空間となるように構成されていることを特徴とする請求項１乃至請求項３のいずれか１つに記載のユニット式建物の袖壁構造。
【請求項５】
前記後付け壁面材と前記機器との間には、前記袖壁の上部から垂れ下がるようにして設けられ、前記引っ掛け部を伝って袖壁部内に浸入した水が前記機器上に落下することを妨げる垂下部材が設けられていることを特徴とする請求項４に記載のユニット式建物の袖壁構造。
【請求項６】
前記袖壁フレームには、その下端部に底部が設けられており、
前記機器は前記底部に配置されており、
当該底部には、前記後付け壁面材と前記機器との間に位置するようにして張出部が設けられており、
前記垂下部材は、その下端部が前記張出部の上端部よりも下方に位置するように形成されていることを特徴とする請求項５に記載のユニット式建物の袖壁構造。
【請求項７】
前記張出部は、前記垂下部材に対して前記機器側から当接するように配されており、
前記垂下部材は、前記後付け壁面材が前記袖壁フレームに固定された場合には、当該垂下部材の下端部が前記後付け壁面材の内面に当接するように形成されており、
前記袖壁には、当該後付け壁面材の内面及び前記垂下部材に沿って流下した水を排出する排出部が形成されていることを特徴とする請求項６に記載のユニット式建物の袖壁構造。
【請求項８】
前記袖壁フレームの上方には、前記後付け壁面材の上方への移動を許容する許容空間があり、
前記引っ掛け部及び前記袖壁フレームには、当該引っ掛け部を有する前記後付け壁面材の前記袖壁フレームからの脱落を防止する脱落防止手段が設けられており、
当該脱落防止手段は、前記後付け壁面材が前記許容空間における所定の高さ位置へと持ち上げられることにより、脱落阻止状態が解除されるように形成されていることを特徴とする請求項４乃至請求項７のいずれか１つに記載のユニット式建物の袖壁構造。
【請求項９】
前記建物本体には、前記袖壁の上部に連続して庇部が設けられており、
前記複数の壁面材のうち前記庇部と入隅を形成する壁面材が前記後付け壁面材となっていることを特徴とする請求項１乃至請求項８のいずれか１つに記載のユニット式建物の袖壁構造。
【発明の詳細な説明】
【技術分野】
【０００１】
本発明は、ユニット式建物の袖壁構造に関する。
【背景技術】
【０００２】
ユニット式建物には、複数の建物ユニットが組み合わされてなる建物本体から屋外側に延びるようにして袖壁を設け、建物の意匠性の向上を図ったものがある（例えば特許文献１参照）。
【０００３】
袖壁については、袖壁の躯体を構成する袖壁フレームと、その袖壁フレームを覆うようにして設けられる一対の壁面材とを備えており、施工現場にて例えば袖壁フレームが建物本体側に連結されることで建物本体と一体化される構成となっている。
【先行技術文献】
【特許文献】
【０００４】
【特許文献１】特開２００８−１４４３９１号公報
【発明の概要】
【発明が解決しようとする課題】
【０００５】
上述した袖壁を有するユニット式建物においては、何れかの壁面材を工場ではなく施工現場で壁フレームに組み付ける構成とすることで、つまり、袖壁自体は工場から完全にアッセンブリ化された状態で出荷されるのではなく一部の壁面材を敢えて別体としておくことで、袖壁フレームを建物本体に連結する際の連結作業の容易化を図り、ひいては建設現場における建物の施工作業の容易化を実現するようにしている。
【０００６】
しかしながら、一般的に壁面材については重量が嵩みやすく、その組み付け作業が難しくなることは否めない。また、袖壁については見栄えの向上を図るべく目地を設けないように一枚物として構成することが好ましい。このように意匠性を重視した場合においては特に、壁面材が大型化してその重量が大きくなり、袖壁の施工作業の容易化を妨げる要因となりやすい。
【０００７】
本発明は、上記事情に鑑みてなされたものであり、ユニット式建物の建物本体に袖壁を取り付ける際の作業性が低下することを抑えることのできるユニット式建物の袖壁置構造の提供を目的とするものである。
【課題を解決するための手段】
【０００８】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００９】
手段１．複数の柱（例えば柱２１）とそれら柱に連結された天井及び床の各大梁（例えば大梁２２，２３）とを有してなる建物ユニット（例えば建物ユニット２０）が複数組み合わされてなる建物本体（建物本体１２）に当該建物本体から屋外側に延びるようにして袖壁（袖壁３１）が設けられたユニット式建物の袖壁構造であって、
前記袖壁は、
前記建物本体に連結される袖壁フレーム（袖壁フレーム４１）と、
前記袖壁フレームを両側から挟むようにして設けられた複数の壁面材（外側壁面材５１及び内側壁面材５２）と
を有し、
前記複数の壁面材のうち少なくとも何れかは、前記建物本体と前記袖壁フレームとを連結した後に当該袖壁フレームに固定される後付けの壁面材となっており、同後付けとなる壁面材には前記袖壁フレームに上側から引っ掛けることのできる引っ掛け部（ブラケット５５）が設けられていることを特徴とするユニット式建物の袖壁構造。
【００１０】
建物本体に袖壁を取り付ける際には、その袖壁における何れかの壁面材を取り付けていない状態で袖壁フレームを建物本体に連結させることが可能である。壁面材を後付け可能とすることにより、壁面材が連結作業を妨げる要因になることを抑制することができる。
【００１１】
袖壁フレームを建物本体に連結した後は、別体で準備されている壁面材を袖壁フレームに固定することとなる。ここで、当該固定作業を行う際には、引っ掛け部を袖壁フレームに上側から引っ掛けることで同壁面材が袖壁フレームによって支持された状態となり、作業者は壁面材の固定時（例えばビス止め時）にその重量を支えておく必要がなくなる。これにより、壁面材の固定作業の容易化を図ることができ、ユニット式建物の建物本体に袖壁を取り付ける際の作業性が低下することを抑えることが可能となる。
【００１２】
手段２．前記袖壁フレームには、その上端部に天板部（天板４６）が設けられており、
前記引っ掛け部は、前記壁面材の内面に取り付けられた取付板部（第１板状部５６）と、前記取付板部から突出する突出部（第２板状部５７）とを有してなり、同突出部が前記天板部上に載ることで、当該引っ掛け部を有する前記壁面材が前記袖壁フレームに上側から引っ掛かるように構成されており、
前記天板部には、前記壁面材を前記天板部に引っ掛けた状態で前記取付板部を収容可能な凹部（収容凹部４６ａ）が形成されていることを特徴とする手段１に記載のユニット式建物の袖壁構造。
【００１３】
本手段に示すように引っ掛け部が取付板部と突出部とを有する構成とした場合には、上述したような作業性の向上が実現される反面、壁面材が取付板部の厚み分浮いた状態になり得る。袖壁ユニットの壁面材については、建物の外観を構成するものであり、周辺構成（例えば並設された壁面材）との間に段差が生じることは美的外観を損なう要因となり得るため好ましくない。
【００１４】
この点、天板に凹部を形成し、同凹部に取付板部を収容することにより、以下の効果が期待できる。すなわち、上述したような段差の発生を抑えることができる。これにより、上記作業性の向上を図りつつ美的外観の向上の貢献することが可能となる。
【００１５】
なお、袖壁フレームが複数の縦フレームとそれら縦フレームを繋ぐように設けられた複数の横フレームとによって構成されている場合には、横フレームに対して壁面材を固定具を用いて固定することで、袖壁フレームへの壁面材の固定が完了する。このような構成においては、横フレームに壁面材の内面が当接するようにして同壁面材を配置することが好ましい。
【００１６】
ここで、単に引っ掛け部（詳しくは取付板部）を採用した場合、壁面材の固定完了位置への配置がその取付板部によって阻害される可能性が生じる。特に、横並びとなるように配置された２つの壁面材のうち一方が引っ掛け部を有し且つそれら壁面材の厚みが同じ構成においては、上記横フレームがそれら両壁面材に亘って延び、同横フレームにそれら壁面材が固定される場合に、以下の不都合が生じえる。つまり、上記取付板部の厚みによって、横並びで設けられた壁面材の外面を揃えて段差が生じないようにすることが困難になり得る。この点、上記凹部を設けて取付板部の厚みを吸収することにより、そのような不都合の発生を容易に抑えることができる。
【００１７】
手段３．前記袖壁は、前記引っ掛け部を伝って当該袖壁に形成された内部空間へ水が浸入することを妨げる防水部材（防水シート８１）を有しいていることを特徴とする手段２に記載のユニット式建物の袖壁構造。
【００１８】
手段２に示した引っ掛け部を有する構成とした場合には、作業の容易化に貢献できる反面、この引っ掛け部を伝って袖壁の内部空間に水が浸入しやすくなると想定される。これは、内部空間の環境を悪化させる要因になり得る。そこで、本手段に示すように防水部材を用いて袖壁の内部空間への水の浸入を防止することにより、そのような不都合の発生を抑えることができる。
【００１９】
なお、手段２に示す引っ掛け部を有する構成においては、引っ掛け部と袖壁フレームとの間に防水部材（例えば防水シートや防水テープ等）を介在させるとよい。これにより、引っ掛け部を伝った水の浸入を抑えることができる。
【００２０】
また、天板部に凹部が形成されている構成においては特に、凹部と引っ掛け部との間に防水部材を介在させることが好ましい。天板部を有する構成においては、天板部に形成された凹部が水の浸入になりやすいと想定されるため、例えば防水部材がシート状をなしている場合には、当該防水部材を凹部よりも大きく形成し、凹部に取付板部が収容された状態では当該凹部が防水部材によって覆われた状態が維持される構成としておくことが望ましい。
【００２１】
手段４．前記袖壁フレーム及び前記引っ掛け部の一方には、前記袖壁の厚さ方向における前記壁面材の固定位置を定める位置決め部（第１板状部５６）が設けられ、前記袖壁フレーム及び前記引っ掛け部の他方には前記位置決め部を受ける受け部（底部４６ｂ）が設けられており、
前記引っ掛け部を前記袖壁フレームに引っ掛けた状態では前記位置決め部と前記受け部とが当接することにより、前記壁面材が当該壁面材の固定位置に配されることを特徴とする手段１乃至手段３のいずれか１つに記載のユニット式建物の袖壁構造。
【００２２】
手段４によれば、引っ掛け部を袖壁フレームに引っ掛けることにより、位置決め部及び受け部によって壁面材の固定位置が定まることとなる。既に説明したように壁面材の重量が嵩みやすい点を考慮すれば、壁面材を抱えたまま固定位置に配置する必要が無く施工時の作業者の労力を軽減することができる。
【００２３】
なお、引っ掛け部を袖壁フレームに引っ掛ける動作により、位置決め部が受け部に誘導される構成を採用することで、上記労力軽減効果を一層好適に発揮させることが可能である。また、引っ掛け部を袖壁フレーム（例えば天板部）に引っ掛けた状態にて水平方向への壁面材のスライド移動を許容する構成とすれば、壁面材の重量を袖壁フレームに預けた状態で位置決め部と受け部とを当接させることが可能となり、上記効果の向上に貢献することができる。
【００２４】
手段５．前記袖壁は、前記各壁面材の間に形成された空間が機器（蓄電池７１）を収容する収容空間となるように構成されていることを特徴とする手段１乃至手段４のいずれか１つに記載のユニット式建物の袖壁構造。
【００２５】
手段１に示したように、袖壁フレームと壁面材とを併用する構成においては、袖壁の強度確保や見栄えの向上を図る上で有利である。ここで、壁面材の間に内部空間を形成して当該内部空間を屋外空間と区別し、同内部空間を本手段に示すように袖壁に機器（例えば蓄電池）を収容可能な収容空間とすれば、機器の建物外への露出を押さえることができる。また、それら機器を居住空間内に配置する必要も無いため、居住空間の圧迫を抑えることも可能である。
【００２６】
手段６．前記各壁面材のうち前記引っ掛け部が設けられているものと前記機器との間には、前記袖壁の上部から垂れ下がるようにして設けられ、前記引っ掛け部を伝って袖壁部内に浸入した水が前記機器上に落下することを妨げる垂下部材（防水シート８１）が設けられていることを特徴とする手段５に記載のユニット式建物の袖壁構造。
【００２７】
手段６によれば、袖壁の上部から垂れ下がるようにして垂下部材が設けられており、引っ掛け部を伝って袖壁部内に浸入した水はこの垂れ下がり部材によって機器上に落下しないように誘導されることとなる。これにより、仮に、上記収容空間内に雨水等が浸入した場合であっても、機器が水で濡れることを抑制して当該機器の保護に貢献できる。
【００２８】
手段７．前記袖壁フレームには、その下端部に底部（下側横フレーム４４の上面）が設けられており、
前記機器は前記底部に配置されており、
当該底部には、前記引っ掛け部が設けられている壁面材と前記機器との間に位置するようにして張出部（止水部材８２）が設けられており、
前記垂下部材は、その下端部が前記張出部の上端部よりも下方に位置するように形成されていることを特徴とする手段６に記載のユニット式建物の袖壁構造。
【００２９】
手段７によれば、垂下部材に沿って落下した水滴は底部上に落下し得るが、このようにして落下した水滴が底部を伝って機器に向った場合には、底部に設けられた張出部によって当該水滴の移動が妨げられることとなり、機器を好適に保護することができる。
【００３０】
なお、手段７に示す構成を実際のユニット式建物に適用しようとした場合には、収容空間に浸入した水を袖壁外に排出するための排出口等を設けることが好ましいが排出口を通じて風が吹き込む等した場合であっても、垂下部材の下端部が張出部の上端部よりも下方にあることで、垂下部材の下端部が張出部を越えて機器側に移動することを抑制することが可能となる。
【００３１】
手段８．前記張出部は、前記垂下部材に対して前記機器側から当接するように配されており、
前記垂下部材は、前記引っ掛け部を有する前記壁面材が前記袖壁フレームに固定された場合には、当該垂下部材の下端部が前記壁面材の内面に当接するように形成されており、
前記袖壁には、当該壁面材の内面及び前記垂下部材に沿って流下した水を排出する排出部（排出口８６等）が形成されていることを特徴とする手段７に記載のユニット式建物の袖壁構造。
【００３２】
手段８によれば、引っ掛け部が付属された壁面材を袖壁フレームの建物本体への連結作業が完了した後に固定位置へと配置した場合には、垂下部材の下端部が壁面材の内面に当接することとなる。これにより、垂下部材を伝って落下した水と壁面材の内面を伝って落下した水とが同じ箇所へと落下することとなり、排出部を無駄に大きく設定する必要が無くなる。つまり、後付け式の壁面材を有する構成を採用した場合に生じる排水に掛かる構成が大掛かりになることを抑えることができる。
【００３３】
手段９．前記袖壁フレームの上方には、前記引っ掛け部を有する壁面材の上方への移動を許容する許容空間があり、
前記引っ掛け部及び前記袖壁フレームには、当該引っ掛け部を有する前記壁面材の前記袖壁フレームからの脱落を防止する脱落防止手段（ボルト５８）が設けられており、
当該脱落防止手段は、前記壁面材が前記許容空間における所定の高さ位置へと持ち上げられることにより、脱落阻止状態が解除されるように形成されていることを特徴とする手段５乃至手段８のいずれか１つに記載のユニット式建物の袖壁構造。
【００３４】
手段５に示したように、袖壁内を機器の収容空間として利用することを前提としている場合には、機器のメンテナンス等で同機器にアクセスする必要が生じ得る。ここで、本手段においては、引っ掛け部を有する壁面材を上方（所定の高さ位置）に持ち上げることで、壁面材が急に脱落するといった不都合を生じにくくすることができる。これにより、機器のメンテナンスを可能としつつ、メンテナンスに際して壁面材が落下して破損するといった不都合を生じにくくすることができる。
【００３５】
手段１０．前記建物本体には、前記袖壁の上部に連続して庇部（庇３２）が設けられており、
前記複数の壁面材のうち前記庇部と入隅を形成する壁面材が前記後付けされる壁面材となっていることを特徴とする手段１乃至手段９のいずれか１つに記載のユニット式建物の袖壁構造。
【００３６】
袖壁と庇部とが連続するようにして形成された建物においては、それら袖壁と庇部とによって入隅が形成されることとなる。入隅は、入隅以外の部位（例えば出隅）と比較して雨ざらしになりにくいと想定される。そこで、本手段に示すように、入隅を形成している壁面材を後付け可能（着脱可能）とすることで、壁面材を後付け可能として作業性の向上を図ったことで生じる弊害すなわち防水機能の低下を抑制することができる。
【００３７】
なお、本手段に示すように、袖壁の上部に庇部が連続して設けられている構成においては、袖壁と庇部とが全体として略Ｌ字状をなす場合が想定される。かかる構造を採用する場合には、前記袖壁を構成する壁面材のうち庇部との間に出隅を形成する壁面材（外側壁面材５１）については、その上端部が前記袖壁フレームよりも上方に突出して前記庇部を側方から覆う構成とし、後付けの対象から外すとよい。袖壁と庇部とを有する建物においては、袖壁の壁面材によって庇部の側面を覆う構成とすることにより、建物の見栄えを向上することができる。また、庇部と袖壁によって支えることで、庇の強度確保の面からも有利である。しかしながら、このような構成においては、先ず袖壁を配置した後に庇部を配置するというような施工順序が生じ得る。ここで、内外の壁面材のうち入隅側の壁面材を引っ掛け部を用いて後の固定作業を許容することにより（つまり出隅側の壁面材については先付けとしておくことにより）、庇部と袖壁とを好適に共存させることができる。
【図面の簡単な説明】
【００３８】
【図１】（ａ）建物の概要を示す斜視図、（ｂ）袖壁と庇との関係を示す正面図。
【図２】袖壁の構造を示す部分破断図。
【図３】袖壁の分解斜視図。
【図４】建物２階部分における壁面材の引っ掛け構造を示す概略図。
【図５】建物１階部分における壁面材の引っ掛け構造を示す概略図。
【図６】袖壁における防水／排水構造を示す概略図。
【図７】袖壁における防水／排水構造の変形例を示す概略図。
【発明を実施するための形態】
【００３９】
＜第１の実施の形態＞
以下に、本発明を具体化した第１の実施の形態について図面を参照しつつ説明する。最初に、図１を参照して本実施の形態における建物１０の概要について説明する。図１（ａ）は建物１０を正面側から見た斜視図、図１（ｂ）は建物１０の一部を拡大して示す正面図である。
【００４０】
図１（ａ）に示すように、建物１０は複数の建物ユニット２０が上下／前後／左右に組み合わされてなる建物躯体を有し、この建物躯体に建物１０の内部と外部とを区別する壁面材や屋根等が取り付けられることで２階建てユニット式建物１０の基幹たる建物本体１２が構築されている。
【００４１】
建物ユニット２０は、複数の柱２１とそれら各柱２１を繋ぐ天井大梁２２及び床大梁２３とが固定されてなり、全体として略直方体状をなしている。これら建物ユニット２０については、隣接する建物ユニット２０同士がドッキングプレート等を用いて連結されることで一体化されており、建物本体１２の躯体を構成している。なお、図１においては表示の便宜上１の建物ユニット２０だけを図示し、他の建物ユニット２０の図示を省略している。
【００４２】
建物本体１２の一面（本実施の形態においては建物本体１２の正面部Ｆ）には、建物の外側に張り出す、詳しくは正面部Ｆと直交する方向（建物正面側）へ張り出すようにして張出部１３が設けられている。
【００４３】
張出部１３は、正面部Ｆにおいて上下に延びている一辺（図１（ｂ）における左側の縦辺）に沿って設けられた袖壁３１と、正面部Ｆにおいて左右に延びている一辺（図１（ｂ）における上側の横辺）に沿うよう設けられた庇３２とによって構成されており、袖壁３１の上端部と庇３２の左端部とが連なることにより、全体として建物本体１２の外縁（出隅）に沿うようにして形成された略Ｌ字状（建物本体１２の正面視）なしている。これにより、建物１０の正面部Ｆに雨風が吹き付けることの抑制や、建物１０の意匠性の向上が期待できる構成となっている。
【００４４】
なお、張出部１３の配設箇所は、建物本体１２の正面部Ｆに限定されるものではなく、例えば張出部１３に相当する構成を建物本体１２の側面部や背面部に配設することも可能である。
【００４５】
図１（ｂ）に示すように、袖壁３１はその骨格を構成する袖壁フレーム４１を有しており、この袖壁フレーム４１が建物本体１２（詳しくは建物ユニット２０の柱２１）にボルトを用いて固定されることで袖壁３１と建物本体１２とが一体化されている。
【００４６】
袖壁フレーム４１には、同袖壁フレーム４１を左右両側及び正面側から囲むようにして壁面材５１〜５３が配されており、これら壁面材５１〜５３が袖壁フレーム４１に固定されることで袖壁３１が形成されている。建物本体１２に連結された袖壁フレーム４１が壁面材５１〜５３取付用の下地材として機能することで袖壁３１の保持強度を担保している。
【００４７】
庇３２は、建物本体１２の屋根面と同一面上に位置するように配された上面パネル６２と、この上面パネル６２に下方から対向するように配された下面パネル（軒天）６３と、それら両パネル６２，６３に跨るように形成された正面パネル６４と、袖壁３１の壁面材（詳しくは後述する外側壁面材等）と上面パネル６２と隙間を塞ぐ側面パネル６５と、それら各パネル６２〜６５が固定される下地材としての庇フレーム６１とを有してなり、庇フレーム６１が上記建物ユニット２０の天井大梁２２に固定されることで庇３２と建物本体１２とが一体化されている。
【００４８】
また、庇３２は、その一端部が袖壁３１の上端部に上方から載るように配置されている。上面パネル６２についてはその一端部が袖壁３１を上方から覆う位置まで延出しているのに対して、下面パネル６３については、袖壁３１に側方から当接又は近接する程度の横幅に抑えられている。これにより、庇フレーム６１と袖壁フレーム４１と間に下面パネル６３が介在することが回避されている。
【００４９】
庇フレーム６１の一端部は袖壁フレーム４１の上方に位置しており、この一端部が袖壁フレーム４１に連結されることで、袖壁３１と庇３２とが一体化されている。これにより、張出部１３全体での強度向上が図られている。
【００５０】
ここで、図２を参照して袖壁３１の具体的な構成について説明する。図２は袖壁３１の構造を示す概略図である。なお、図２については袖壁３１の前側部分を一部破断させることでその内部を露出させており、その破断部分にはハッチングを付与している。
【００５１】
既に説明したように、本実施の形態における建物１０においては２階建てとなっており、袖壁３１は建物１０の１階部分に対応する下側袖壁ユニット３１Ｌと２階部分に対応する上側袖壁ユニット３１Ｕとを有し、それら各袖壁ユニット３１Ｌ，３１Ｕが上下に並べて配置された状態で相互に連結されることで袖壁３１の躯体が構築されている。これら下側袖壁ユニット３１Ｌ及び上側袖壁ユニット３１Ｕの各種構成についてはそのほとんどが共通化されているため、先ず両者に共通する構成を説明し、その後、上側袖壁ユニット３１Ｕ及び下側袖壁ユニット３１Ｌにて相違する構成を説明する。
【００５２】
袖壁フレーム４１は、前後に離間して設けられた１対の縦フレーム４２を有している。
各縦フレーム４２は、横断面がコ字状をなす溝型鋼であり、溝部の開放部分が互いに向き合うようにして配されている。より詳しくは、縦フレーム４２は、長板状のウェブ４２ａと当該ウェブ４２ａを挟んで相対向し、他方の縦フレーム４２側へ延びるフランジ４２ｂを有してなる。特に、両縦フレーム４２のうち建物本体１２側の一方のウェブ４２ａには、建物本体１２への取付部としての機能が付与されている。
【００５３】
縦フレーム４２におけるフランジ４２ｂの内面には、両縦フレーム４２を繋ぐようにして横フレームが複数溶接されている。横フレームは、縦フレーム４２の上端部に配された上側横フレーム４３と、縦フレーム４２の下端部に配された下側横フレーム４４と、それら横フレーム４３，４４の間に縦に並べて配置された複数の中間横フレーム４５とによって構成されている。これら各中間横フレーム４５については、壁面材５１〜５３の内面(一部は後述するブラケット)に当接して袖壁３１の厚さ方向における同壁面材５１〜５３の位置を決定する機能、及びをビスが螺着されることにより壁面材５１〜５３を保持する機能を有している点については共通となっている。一方、上側横フレーム４３及び下側横フレーム４４には、中間横フレーム４５にはない固有の機能が付与されている。
【００５４】
ここで、袖壁３１を構成する壁面材について補足説明する。袖壁フレーム４１に固定された壁面材は大きく３つの部分に分割されている。具体的には、袖壁３１と庇３２との出隅側に配された壁面材５１（以下、外側壁面材５１と称する）と、袖壁３１と庇３２との入隅側に配された壁面材５２（以下、内側壁面材５２と称する）と、袖壁フレーム４１を正面側から覆う壁面材５３(以下、中間壁面材５３と称する)とによって構成されている。
【００５５】
このうち、外側壁面材５１及び内側壁面材５２については略平板状をなしているものの、中間壁面材５３については立てフレーム４２のウェブ４２ａに対向する正面側壁面部５３ａと、外側壁面材５１側に周り込むようにして形成された外側壁面部５３ｂと、内側壁面材５２側に周り込むようにして形成された内側壁面部５３ｃとの３つの部分を有し、全体としてコ字状をなしている。つまり、袖壁３１における出隅側（外側）の壁面については、外側壁面材５１及び外側壁面部５３ｂによって構成され、入隅側（内側）の壁面については内側壁面材５２及び内側壁面部５３ｃによって構成されている。
【００５６】
外側壁面部５３ｂについては外側壁面材５１と面一となるように構成されており、内側壁面部５３ｃについては内側壁面材５２と面一となるように構成されている。壁面材同士のつなぎ目に段差や隙間が生じることを抑えることにより、袖壁３１の見栄えが向上されている。
【００５７】
上側横フレーム４３は、縦フレーム４２のフランジ４２ｂの内面に対向する縦板部４３ａと、縦板部４３ａの上端縁から直角に折れ曲るようにして形成された横板部４３ｂとを有し、縦断面がＬ字状をなすように形成されている。この上側横フレーム４３（詳しくは横板部４３ｂ）には、金属製の天板４６が載置された状態で固定されており、この天板４６によって袖壁フレーム４１における上方への開放部分が覆われている。
【００５８】
下側横フレーム４４は、上側袖壁ユニット３１Ｕと下側袖壁ユニット３１Ｌとで異なる構成が採用されている。具体的には、下側袖壁ユニット３１Ｌにおいては、単なる平板が採用され、各縦フレーム４２の下端部と同様に建物１０の基礎１１に載った状態となるように構成されている（後述する図６等参照）。なお、下側袖壁フレームユニット４１Ｌについては基礎１１に対してもボルト等の固定具を用いて固定されているが、その固定対象については縦フレーム４２及び上記下側横フレーム４４の何れであってもよい。
【００５９】
これに対して、上側袖壁ユニット３１Ｕに設けられた下側横フレーム４４Ｕには、上側袖壁ユニット３１Ｕと下側袖壁ユニット３１Ｌとを連結する機能が付与されており、その形状に相違点が存在する。
【００６０】
ここで、両袖壁ユニット３１Ｌ，３１Ｕの連結構造について説明する。図２に示すように、下側袖壁ユニット３１Ｌの天板４６には、断面がコ字状をなすように形成された溝型鋼（連結ブラケット４７）をフランジが上方に凸となる状態で固定してある。
【００６１】
上側袖壁ユニット３１Ｕの下側横フレーム４４は、外側壁面材５１に対向する縦板部４４ａ及びこの縦板部４４ａの上端部から内側壁面材５２へと延びる横板部４４ｂとによって構成された第１横フレーム４４Ｘを有している。縦板部４４ａについては、外側壁面材５１の下端部よりも下方に延びており、上記連結ブラケット４７のフランジと当接している。
【００６２】
また、下側横フレーム４４は、第１横フレーム４４Ｘにおける横板部４４ｂに下側から当接するように配置された第２横フレーム４４Ｙを有している。第２横フレーム４４Ｙは、断面が略コ字状をなす溝型鋼となっており、その開放部分が下方を向くようにして第１横フレーム４４Ｘと一体化されている。
【００６３】
第２横フレーム４４Ｙにおける一方のフランジについては、内側壁面材５２に当接し、その下端部分については、内側壁面材５２の下端部よりも下方に延出している。一方、第２横フレーム４４Ｙにおける他方のフランジについては上記連結ブラケット４７のフランジと当接している。
【００６４】
連結ブラケット４７と各横フレーム４４Ｘ，４４Ｙとの当接部分には両者に連通するボルト挿入孔が形成されており、連結ブラケット４７のフランジ部にはナットが溶接されている。これら各ボルト挿入孔に施工現場にてボルト４８が挿入されてナットに固定されることで、両袖壁ユニット３１Ｕ，３１Ｌが一体化されている。
【００６５】
本実施の形態においては、各袖壁ユニットは３１Ｕ，３１Ｌは、完全ユニット化された状態で施工現場に輸送されるわけではなく、各袖壁ユニット３１Ｕ，３１Ｌの内側壁面材５２については、施工現場にて袖壁フレーム４１に固定する構成が採用されている。以下、建物本体１２への袖壁３１の組付作業の手順を踏まえて、当該後付けにかかる構成について説明する。
【００６６】
袖壁ユニット３１Ｕ，３１Ｌは建物ユニット２０とは別体で施工現場に分離した状態で輸送される。この際、各袖壁ユニット３１Ｕ，３１Ｌについては、建物本体１２が組み上がった後に当該建物本体１２にそれぞれ固定される。また、両袖壁ユニット３１Ｕ，３１Ｌが上記連結ブラケット４７を介して連結される。
【００６７】
既に説明したように、建物本体１２に袖壁ユニット３１Ｕ，３１Ｌを固定する際には、袖壁ユニット３１Ｕ，３１Ｌの内側壁面材５２が未だ固定されておらず、同ユニット３１Ｕ，３１Ｌ内へのアクセスが容易となっている。これにより、建物ユニット２０の柱２１に対して袖壁ユニット３１Ｕ，３１Ｌをボルト４９により固定する際の作業スペースの確保が容易化されている。また、両袖壁ユニット３１Ｕ，３１Ｌを連結する際には、内側のボルト挿入孔については、外側のボルト挿入孔よりも袖壁３１の奥に位置しているが、内側壁面材５２が未装着となっていることによりボルト４８の挿入作業が難しくなることが回避されている。
【００６８】
ここで、図３〜図５を参照して、内側壁面材５２を施工現場にて後付けする際に利用される壁面材用の引っ掛け構造について説明する。図３は袖壁３１の分解斜視図、図４は建物２階部分における内側壁面材５２の引っ掛け構造を示す概略図、図５は建物１階部分における内側壁面材５２の引っ掛け構造を示す概略図である。
【００６９】
図３に示すように、内側壁面材５２の内面には、内側壁面材５２を袖壁フレームに固定する際の引っ掛け手段を構成するＬ字状のブラケット５５が装着されている。ブラケット５５は、内側壁面材５２の内面に当接し、同内側壁面材５２に対する取付部を構成する第１板状部５６を有している（図４及び図５参照）。第１板状部５６の先端部分については、内側壁面材の上端部よりも上方に突出しており、その上端部には内側壁面材５２とは反対側に折れ曲るようにして第２板状部５７が形成されている。
【００７０】
内側壁面材５２を袖壁フレーム４１に取り付ける場合には、第２板状部５７を袖壁ユニット３１Ｕ，３１Ｌの天板４６に上方から載せることにより、すなわちブラケット５５を袖壁フレーム４１に引っ掛けることにより、内側壁面材５２の重量を袖壁フレーム４１に預けることができ、作業者が内側壁面材５２を支えた状態のまま上記ビス止め作業を行う必要が無くなる。これにより、単に内側壁面材５２の上下位置が定まるだけでなく、作業負荷が軽減されることとなり、施工作業の効率向上に貢献することが出来る。
【００７１】
天板４６における内側壁面材５２側の端部（入隅）には、天板４６の一部を切り欠くことにより、ブラケット５５の第１板状部５６を収容する収容凹部４６ａが形成されている。収容凹部４６ａの深さについては、第１板状部５６が収容凹部４６ａの底部４６ｂに当接するように設定されている。底部４６ｂについては、上記上側横フレーム４３の縦板部４３ａと同一面上に位置するように形成されているため、本実施の形態においては、底部４６ｂ及び縦板部４３ａは、内側壁面材５２を搭載する際の奥行き位置を決めるストッパとしての機能を有している（図４及び図５参照）。
【００７２】
上述したように、天板４６に収容凹部４６ａを形成した場合には、その収容凹部４６ａの周辺にて防水機能が低下することが懸念される。本実施の形態においては、天板４６に、収容凹部４６ａを袖壁フレームの外側から覆うようにして、防水シート５９が貼り付けられている。この防水シート５９をブラケット５５と天板４６（詳しくは収容凹部４６ａ）との間に介在させることにより、収容凹部４６ａとブラケット５５との境界部分を通じて雨水等が袖壁３１内に浸入することを抑えている。
【００７３】
天板４６においてブラケット５５の第２板状部５７が載置される部分には、複数の貫通孔４６ｃが形成されており、天板４６の下面にはこれら貫通孔４６ｃに１対１で対応するようにしてナットが溶接されている。なお、上記防水シート５９については、これら貫通孔４６ｃを覆うようにして拡がっており、貫通孔４６ｃへの水の到達を抑制している。なお、図４及び図５においては防水シート５９を太線によって示している。
【００７４】
収容凹部４６ａの前後幅についてはブラケット５５（詳しくは第１板状部５６の前後幅）よりも僅かに大きくなるように余裕代が設定されており、内側壁面材５２を装着する際にブラケット５５が上手く嵌まらないといった不都合を生じにくくしている。ここで、このような余裕代を設定した場合には、内側壁面材５２の前後位置の位置決めが上手く行われず、同一平面上にて隣接する内側壁面材との間に隙間が生じる可能性が高くなる。これは、袖壁３１の見栄えを低下させる要因となり得るため好ましくない。
【００７５】
本実施の形態においては、ブラケット５５を天板４６に載せた後は、天板４６の上面に沿うようにして、内側壁面材５２を前方へとスライドさせることにより、内側壁面材５２の端面が並設された上記内側壁面部５３ｃの端面（側面）と当接することとなる。これにより、内側壁面材５２の前後位置が決定されることとなる。なお、これに合せてブラケット５５の第２板状部５７に形成されたボルト用の挿通孔５７ａについては、上記スライド方向（前後方向）に拡張された長孔となっており、上述した余裕代分のズレを許容する構成が実現されている。
【００７６】
内側壁面材５２の上下／前後／左右の各位置が決まった後は、上記挿通孔５７ａ及び貫通孔４６ｃを通じてボルト５８を上記ナットと締結させることにより、袖壁フレーム４１からの内側壁面材５２の脱落が回避されることとなる。
【００７７】
以上の作業が完了した後には、内側壁面材５２にビスを挿入し、それら各ビスを各横フレーム４３〜４５に螺着させることで、内側壁面材５２の固定作業が完了する。
【００７８】
その後、図５（両袖壁ユニットの連結部分を示す概略図）に示すように、上下の壁面材の隙間を塞ぐ隙詰め部材５４を装着することで、袖壁３１が完成することとなる。
【００７９】
ここで、本実施の形態における袖壁３１についてはその横幅（厚さ寸法）が凡そ２５０ｍｍとなっており、その内部に各種機器（具体的には蓄電池７１）を収容可能なスペースが確保されている。この幅については庇３２の縦幅（厚さ寸法）よりも大きく設定されている。蓄電池７１については、メンテナンスが必要になる場合が想定されるが、本実施の形態における内側壁面材５２については、上述した取り付け手順と逆の手順を踏むことで、袖壁フレーム４１から取り外し可能となっている。つまり、内側壁面材５２については、着脱可能な構成としておくことにより蓄電池７１のメンテナンスが可能となっている。
【００８０】
本実施の形態においては、張出部１３の入隅側の壁面材（内側壁面材５２）を着脱可能な構成としている。入隅側は張出部１３における出隅側と比較して、雨風が吹きつける可能性が低いため外側壁面材５１を後付け可能（着脱可能）とする場合と比較して以下の効果が期待できる。すなわち、内側壁面材５２を後付け可能（着脱可能）としておくことにより、袖壁３１内への水の浸入を好適に抑制することができる。これにより、袖壁３１内を蓄電池７１の設置スペースとする構成において、当該蓄電池７１を雨水等から好適に保護することが出来る。
【００８１】
上記メンテナンスを行う際に内側壁面材５２を袖壁フレーム４１から取り外す場合には、ブラケット５５によって内側壁面材が支えられた状態で維持されるため、ビスの取り外しを行っている最中やボルト４９の取り外しを行っている最中に内側壁面材５２を手で支えておく必要が無くなり、作業負荷の低減に貢献することが出来る。
【００８２】
また、蓄電池７１の確認作業を行うだけの場合には、ボルト４９を緩めることで、ブラケット５５（内側壁面材５２の上端部）を基端として、内側壁面材５２を上方へ回動させることができる。これにより、内側壁面材５２を仮止めした状態を維持しつつ、確認作業を遂行できるため、都度内側壁面材を完全に取り外す必要が無くなり、作業性の向上に貢献することが出来る。
【００８３】
上述した仮止め／仮保持機能については、壁面材がサイディング等の比較的重量が嵩みやすい構成である点に着目すれば施工現場での作業の効率化に対する貢献度は大きい。
【００８４】
内側壁面材５２については、建物１０の外観の一部を構成するものであり、その位置が上手く決まらないと、建物１０の外観が損なわれると懸念される。ここで、上述したように重量が嵩みやすいサイディングを施工現場で位置決めしようとした場合には、工場での組み付けとは異なり、専用の治具等を使用することが出来ないため作業がやりにくくなってしまう。この点、本実施の形態においては、内側壁面材５２の重量をブラケット５５によって支えた状態にて同内側壁面材５２を前後／左右にスライドさせることで位置決めを行うことができるため、内側壁面材５２を後付けとしたことによって生じる弊害を抑えることができる。
【００８５】
上側袖壁ユニット３１Ｕと下側袖壁ユニット３１Ｌとを、連結ブラケット４７と２つの下側横フレーム４４Ｘ，４４Ｙとを連結させることで一体化させる構成とした。この際、下側袖壁ユニット３１Ｌのブラケット５５の上方には、当該ブラケット５５の上方への移動を許容する移動用空間が確保されており、下側袖壁ユニット３１Ｌの内側壁面材５２を着脱する際に、上側袖壁ユニット３１Ｕが邪魔になることが回避されている。
【００８６】
＜第２の実施の形態＞
第１の実施の形態に示したように内側へ消えｍン材を着脱可能な構成を採用した場合には、如何に防水シート５９を用いて、隙間を覆う構成としても、防水シート５９自体の劣化や毛細管現象等により、水の浸入を完全に防ぐことは困難になり得る。
【００８７】
ここで、本実施の形態においては、仮に袖壁３１内へ水が浸入した場合であっても、その水が袖壁３１外に速やかに排出されることで、同水が蓄電池７１に到達することを回避する工夫がなされている。以下、図６を参照して本実施の形態における防水構造について説明する。図６は第２の実施の形態における防水構造を示す概略図である。
【００８８】
袖壁フレーム４１の上側横フレーム４３（詳しくは横板部４３ｂ）には、天板４６の貫通孔４６ｃよりも蓄電池７１に近い位置から垂れ下がるようにして防水シート８１が取り付けられている。防水シート８１は内側壁面材５２と対向するようにして配置されており、その下端部は蓄電池７１の上端部よりも下方に位置している。仮に上記収容凹部４６ａ等を経由して袖壁３１内に浸入した水が上側横フレーム４３を伝う等して蓄電池７１側へ移動した場合であっても、それ以上の移動が防水シート８１によって妨げられることとなる。
【００８９】
なお、防水シート８１の取付対象については、必ずしも上側横フレーム４３である必要は無く、例えば天板４６であってもよい。但し、ボルト用の貫通孔４６ｃを通じて水が浸入する場合を想定すれば、その取付位置は少なくともボルト用の貫通孔４６ｃよりも蓄電池７１側となる位置とすることが望ましい。
【００９０】
防水シート８１や内側壁面材５２の内面を伝って落下した水は、下側横フレーム４４へと到達する。下側横フレーム４４（詳しくは第１横フレーム４４Ｘの横板部）上には、防水シート８１と蓄電池７１との間に蓄電池７１側への水の移動を阻止する止水部材８２が設けられており、下側横フレーム４４上に到達した水が当該下側横フレーム４４を伝って蓄電池７１に到達することを回避している。
【００９１】
止水部材８２については、その上端部が防水シート８１の下端部よりも上方に位置しており、且つ防水シート８１に対して隙間を隔てて対峙している。このため、防水シート８１を伝って落下した水が止水部材８２を超えて蓄電池７１側へと移動することが回避されることとなる。
【００９２】
上側袖壁ユニット３１Ｕに設けられた下側横フレーム４４については、止水部材８２と内側壁面材５２との中間位置に水抜き孔８５が形成されており、下側横フレーム４４上に落下した水については、この水抜き孔８５を通じて袖壁３１外へと排出される。なお、図５に示したように隙詰め部材５４を有する場合には、この隙詰め部材５４に水抜き孔８５から流出した水を袖壁３１外へと導く排出口が形成されている。
【００９３】
一方、下側袖壁ユニット３１Ｌにおいては、内側壁面材５２の下端部が袖壁フレーム４１の下端部よりも上方に位置しており、袖壁フレーム４１の下端部には、排水口８６が形成されている。排水口８６は横向きに開放されており、この排水口８６から流出した水は、基礎１１等へと落下する。
【００９４】
以上詳述した第２の実施の形態によれば、仮に袖壁３１内に水が浸入した場合であっても、当該水が蓄電池７１に到達することなく、袖壁３１外に排出されることとなる。これにより、蓄電池７１の保護機能を強化することができる。
【００９５】
＜第３の実施の形態＞
上記第２の実施の形態に示したように袖壁３１内に浸入した水を袖壁３１外に排出するための水抜き穴や排水口を有する構成においては、それら水抜き孔や排水口を通じて風が吹き込む可能性がある。これは、防水シート８１の揺れや水の逆流等を招く要因となり、結果として止水部材８２が上手く機能せず蓄電池７１に水が到達する可能性が残る。故に、これら排水にかかる孔等の構成については出来るだけ小さくしておくことが好ましい。
【００９６】
本実施の形態においては、防水シート８１Ａ及び内側壁面材５２等の水が伝わりやすい構成に鑑みて袖壁３１内に浸入した水を落下の過程でまとめることで水の落下位置を限定し、排水にかかる孔の小型化を実現している。以下、本実施の形態における排水構造について、図７の概略図を参照して第２の実施の形態との相違点を中心に説明する。図７（ａ）は内側壁面材５２を袖壁フレーム４１に固定する前の状態を示し、図７（ｂ）は内側壁面材５２を袖壁フレーム４１に固定した状態を示している。
【００９７】
本実施の形態においては、止水部材８２Ａの位置が防水シート８１Ａの取付位置の直下に変更されており、防水シート８１Ａの全長（上下方向における長さ寸法）についても上記第２の実施の形態よりも長く設定されている。具体的には、防水シートの全長は、下側横フレーム４４の上面から防水シートの取付位置までの距離寸法よりも長く設定されている。
【００９８】
防水シート８１Ａは、蓄電池７１側の一面が止水部材８２Ａに対して内側壁面材５２側から当接している。これにより、防水シート８１Ａの下端部が入隅を越えて袖壁フレーム４１から僅かに突出した状態となっている。図７（ａ）→図７（ｂ）に示すように、内側壁面材５２を所定の取付位置に配置した場合には、内側壁面材５２の取付位置への移動に伴って同内側壁面材５２によって防水シート８１Ａの下端部が袖壁３１内へと押し込まれることとなる。この結果、防水シート８１Ａは若干の撓みを残しつつ、自重等によってその下端部が内側壁面材５２に押し付けられた状態となる。
【００９９】
この場合、図７（ｂ）に示すように、防水シート８１Ａを伝って落下した水は、内側壁面材５２の内面側へと誘導され、当該内面に沿って落下した水ともに、内側壁面材５２の下端位置に向けて流下する。このように、本実施の形態においては、どちらの構成を伝って落下した水も最終的には、内側壁面材５２の下部に集合することとなる。そこで、内側壁面材５２の下部に隣接する位置、詳しくは内側壁面材５２の内面の直下となる位置に水抜き孔８５Ａ等を設けることで、水の排出機能が担保されるため、水抜き孔８５Ａを極力小さくすることができ、上述した不都合の発生を抑えることができる。
【０１００】
なお、上述した各実施の形態の記載内容に限定されず、例えば次のように実施してもよい。因みに、以下の別形態の構成を、上記各実施の形態における構成に対して、個別に適用してもよく、相互に組み合わせて適用してもよい。
【０１０１】
（ａ）上記各実施の形態では、袖壁３１と庇３２とが連なるように構成したが、これに限定されるものではなく袖壁と庇とを完全に離して配置することも可能である。
【０１０２】
また、袖壁３１と庇３２によってＬ字状の張出部１３を形成したが、これに限定されるものではなく、例えば庇３２の中央に袖壁３１を配置して張出部がＴ字状をなす構成とすることも可能である。このような変更を行った場合には、袖壁３１と庇３２とによって形成される入隅と出隅の関係が変化する。袖壁３１における壁面材の一部を着脱可能とする場合には、雨風の吹き付けにくい箇所が望ましいが、Ｔ字状とした場合には、出隅が入隅に変わるため、雨風の吹きつけ具合を想定した上でどの壁面材を着脱式とするかを決定することが望ましい。
【０１０３】
（ｂ）上記各実施の形態では、庇３２が側壁を有する構成としたが、これを削除し、外側壁面材５１を庇３２の側部を側方から覆う位置まで延出させることにより当該外側壁面材５１を上記側壁の代わりとすることも可能である。このように１枚の壁面材によって庇部分までカバーする構成として目地を排除することにより、張出部１３の見栄えを向上することができる。
【０１０４】
かかる構成とした場合には、外側壁面材５１を後付けにすることが困難になり得る。具体的には、上記各実施の形態に示したブラケット５５に相当する構成を外側壁面材５１に装着しようとした場合には、袖壁フレームとの関係からブラケットが外側壁面材５１の中間位置に配置されることとなり、ブラケットの目視による確認が困難になり得る。また、ブラケットを引っ掛けた状態での壁面材のバランスが低下することで、引っ掛かり状態を上手く維持することが困難になると想定される。故に、このような構成においては、内側壁面材５２を後付けとすることによる効果が一層好適に発揮されることとなる。
【０１０５】
（ｃ）上記各実施の形態では、内側壁面材５２に装着されたブラケット５５を袖壁フレーム４１の天板４６に載せることにより内側壁面材５２が袖壁フレーム４１によって保持される構成としたが、以下の構成を追加することで、この保持状態を好適に維持することができる。具体的には、ブラケット５５及び天板４６の何れか一方に上下に延びるピンを配設するとともに、他方にそのピンが挿入される挿入部を形成する。これにより、内側壁面材５２をある程度の高さ位置まで持ち上げない限り（ピンが挿入部から離脱する高さ位置）まで持ち上げない限り内側壁面材５２が袖壁フレームから誤って脱落することを好適に回避することができる。
【０１０６】
（ｄ）上記各実施の形態では、中間壁面材５３が正面壁部、外側壁部、内側壁部の３つの部によって構成されていたが、これに限定されるものではない。中間壁面材５３については、少なくとも正面壁部に相当する構成を有していれば足り、外側壁部及び内側壁部については省略することも可能である。このような変更を行った場合には、外側壁面材５１及び内側壁面材５２を大型化することで、省略した部分を補えばよい。
【０１０７】
但し、内側壁面材５２については、少なくとも着脱可能（後付け可能）であることを前提として形成されている部材であり、大型化によって重量が嵩むことは施工現場での作業性を悪化させる要因となり得る。また、目地が角部に移ることで見栄えが低下しやすくなると想定される。以上の理由から、少なくとも、中間壁面材５３については内側壁部を含む構成とすることが好ましい。
【０１０８】
（ｅ）上記各実施の形態では、袖壁３１内に蓄電池７１設置用のスペースを確保したが、袖壁３１内のスペースを他の機器（例えば湯沸かし器やそれに付随する貯水タンク）の配置スペースとして利用することも可能である。
【０１０９】
この場合であっても、既に説明した防水構造や排水構造によって、それら機器を保護することができる。
【０１１０】
（ｆ）上記２の実施の形態では、防水シート８１を採用したが、その材質はビニール等の樹脂類であってもアルミ等の金属類であってもよい。但し、既に説明したように、袖壁フレーム４１を建物本体１２に連結する際には、袖壁３１内に固定作業を行うためのスペースを確保する必要がある。このため、作業の際には、その邪魔にならないように移動／変形させる材質又は構造とすることが望ましい。
【０１１１】
（ｇ）上記各実施の形態では、内側壁面材５２を中間壁面材５３の内側壁部に当接させることにより、前後方向における内側壁面材５２の位置決めを行う構成としたが、これを変更し、内側壁面材５２に付随するブラケット５５が天板４６の収容凹部４６ａの端面に当接することにより上記位置決めを行う構成とすることも可能である。
【０１１２】
（ｈ）上記各実施の形態に示した袖壁構造を、多層階（例えば３階〜ｎ階）の建物や１階建ての建物に適用することも可能である。
【符号の説明】
【０１１３】
１０…建物、１２…建物本体、１３…張出部、２０…建物ユニット、３１…袖壁、３２…庇、４１…袖壁フレーム、４２…縦フレーム、４３〜４５…横フレーム、４６…天板、４６ａ…収容凹部、４６ｂ…底部、５１…外側壁面材、５２…内側壁面材、５３…中間壁面材、５５…ブラケット、５６…第１板状部、５７…第２板状部、５９…防水シート、７１…蓄電池、８１…防水シート、８２…止水部材、８５…水抜き孔。
【図１】
0005952595.tif 000002
【図２】
0005952595.tif 000003
【図３】
0005952595.tif 000004
【図４】
0005952595.tif 000005
【図５】
0005952595.tif 000006
【図６】
0005952595.tif 000007
【図７】
0005952595.tif 000008